(57)【要約】      （修正有）【課題】所持者の所持品を個別に識別し、所持者が指定した特定の所持品の位置を追跡する個人が設定した物品の位置を追跡する端末、その個人が設定した物品の位置を追跡する端末を用いた位置追跡システム及び方法を提供する。【解決手段】所持品位置追跡端末１００は、所持者の所持品に備えられた所持品用タグの識別子選択及び前記タグ識別子を有する該当所持品に備えられた所持品用タグの位置追跡を要請するのに必要な情報が入力される情報入力部１１０と、所持品用タグの識別子を選択するのに必要な情報が表示される情報出力部１２０と、所持品用タグのタグ別識別子情報が記憶される情報記憶部１３０と、位置追跡を要請するのに必要な情報が送信される通信インターフェース機能をする情報通信部１４０と、位置追跡を要請するのに必要な情報が入力、出力及び伝送されるように制御する制御部１５０とを含む。【選択図】図２
2020061123.tif 000002
【特許請求の範囲】
【請求項１】
所持者の所持品に備えられた所持品用タグ（２００）の識別子選択及び前記タグ識別子を有する該当所持品に備えられた所持品用タグ（２００）の位置追跡を要請するのに必要な情報が入力される情報入力部（１１０）と、
所持者の所持品に備えられた所持品用タグ（２００）の識別子を選択するのに必要な情報が表示される液晶（１２１）を有する情報出力部（１２０）と、
所持者の所持品に備えられた所持品用タグ（２００）の識別子であるタグ別識別子情報が記憶される情報記憶部（１３０）と、
所持者の所持品の中で特定の所持品用タグ（２００）の位置追跡を要請するのに必要な情報が送信される通信インターフェース機能をする情報通信部（１４０）と、
所持者の所持品に備えられた所持品用タグ（２００）の識別子選択及び前記タグ識別子を有する該当所持品に備えられた所持品用タグ（２００）の位置追跡を要請するのに必要な情報が入力、出力及び伝送されるように制御する制御部（１５０）とを含む所持品位置追跡端末（１００）からなり、
前記制御部（１５０）の作動方式を設定するモードとして、所持者の所持品の中で特定の所持品用タグ（２００）の位置追跡によってその特定の所持品用タグ（２００）を認知すれば、前記所持品位置追跡端末（１００）でその特定の所持品用タグ（２００）を認知したという情報が出力されるように案内する本体案内モードを含み、
前記情報記憶部（１３０）には、所持品用タグ（２００）と所持品位置追跡端末（１００）間の距離を認知することができるように所持品用タグ（２００）から送信されるタグ別識別子信号を受信した所持品位置追跡端末（１００）でその受信されたタグ別識別子信号の検出された信号強度の強弱による距離を示した受信信号強度別距離情報、及び使用者が指定した情報として、位置追跡時所持品位置追跡端末（１００）で所持品用タグ（２００）を認知する設定距離を示す使用者指定認知距離情報が記憶され、
前記制御部（１５０）は、本体案内モードの下で、前記所持品用タグ（２００）から送信されるタグ別識別子信号を受信すれば、その受信された該当タグ別識別子信号を参照して該当所持品用タグ（２００）を認知し、その受信されたタグ別識別子信号の信号強度を検出し、その検出されたタグ別識別子信号の信号強度を前記情報記憶部（１３０）に記憶された受信信号強度別距離情報とマッチングして前記所持品位置追跡端末（１００）と前記所持品用タグ（２００）間の検出距離を認知し、その検出距離が前記情報記憶部（１３０）に記憶された使用者指定認知距離情報に相当すれば、前記情報出力部（１２０）を介してその特定の所持品用タグ（２００）を認知したという情報が出力されるように制御することを特徴とする、個人が設定した物品の位置を追跡する端末。
【請求項２】
前記制御部（１５０）の作動方式を設定するモードとして、所持者の所持品の中で特定の所持品用タグ（２００）の位置追跡によってその特定の所持品用タグ（２００）を認知すれば、その特定の所持品用タグ（２００）で自分の位置を案内するタグ案内モードを含み、
前記制御部（１５０）は、タグ案内モードの下で、所持者の所持品の中で特定の所持品用タグ（２００）の位置追跡によってその特定の所持品用タグ（２００）を認知すれば、その特定の所持品用タグ（２００）で位置案内を要請するタグ出力信号が生成されるように制御することを特徴とする、請求項１に記載の個人が設定した物品の位置を追跡する端末。
【請求項３】
前記情報入力部（１１０）は、所持者の所持品に備えられた所持品用タグ（２００）の識別子を選択するタグ識別子選択ボタン（１１１）と、前記タグ識別子を有する該当所持品に備えられた所持品用タグ（２００）の位置追跡を要請する位置追跡要請ボタン（１１２）とを含むことを特徴とする、請求項１に記載の個人が設定した物品の位置を追跡する端末。
【請求項４】
前記所持品位置追跡端末（１００）の情報記憶部（１３０）、情報通信部（１４０）及び制御部（１５０）が実装される回路基板が搭載される固定本体（１０１）と、
前記固定本体（１０１）でスライド移動する拡張型移動体（１０２）と、
前記固定本体（１０１）の終端部には前記回路基板と電気的に連結されたもので、本体案内モードが設定されるように要請する本体案内モード要請ボタン（１１３）とを含むことを特徴とする、請求項３に記載の個人が設定した物品の位置を追跡する端末。
【請求項５】
所持者の所持品に備えられるもので、該当タグを識別するのに用いられるタグ識別子情報を含むタグ別識別子信号を伝送する所持品用タグ（２００）と、
前記所持品用タグ（２００）からタグ別識別子信号が受信されれば、所持者の所持品に備えられた所持品用タグ（２００）の中で追跡要請された該当所持品用タグ（２００）のタグ別識別子信号が存在するかを確認し、追跡要請された該当所持品用タグ（２００）が存在すれば、追跡要請された該当所持品用タグ（２００）を認知したという情報が出力されるように案内する所持品位置追跡端末（１００）とを含んでなり、
前記所持品位置追跡端末（１００）は、所持者の所持品に備えられた所持品用タグ（２００）の識別子選択及び前記タグ識別子を有する該当所持品に備えられた所持品用タグ（２００）の位置追跡を要請するのに必要な情報が入力される情報入力部（１１０）と、所持者の所持品に備えられた所持品用タグ（２００）の識別子を選択するのに必要な情報が表示される液晶（１２１）を有する情報出力部（１２０）と、所持者の所持品に備えられた所持品用タグ（２００）の識別子であるタグ別識別子情報が記憶される情報記憶部（１３０）と、所持者の所持品の中で特定の所持品用タグ（２００）の位置追跡を要請するのに必要な情報が送信される通信インターフェース機能をする情報通信部（１４０）と、所持者の所持品に備えられた所持品用タグ（２００）の識別子選択及び前記タグ識別子を有する該当所持品に備えられた所持品用タグ（２００）の位置追跡を要請するのに必要な情報が入力、出力及び伝送されるように制御し、前記所持品用タグ（２００）からタグ別識別子信号が受信されれば、所持者の所持品に備えられた所持品用タグ（２００）の中で追跡要請された該当所持品用タグ（２００）のタグ別識別子信号が存在するかを確認し、追跡要請された該当所持品用タグ（２００）が存在すれば、追跡要請された該当所持品用タグ（２００）を認知したという情報が出力されるように制御する制御部（１５０）とを含み、
前記情報記憶部（１３０）には、所持品用タグ（２００）と所持品位置追跡端末（１００）間の距離を認知することができるように所持品用タグ（２００）から送信されるタグ別識別子信号を受信した所持品位置追跡端末（１００）でその受信されたタグ別識別子信号の検出された信号強度の強弱による距離を示した受信信号強度別距離情報及び使用者が指定した情報として位置追跡時に所持品位置追跡端末（１００）で所持品用タグ（２００）を認知する設定距離を示す使用者指定認知距離情報が記憶され、
前記制御部（１５０）は、本体案内モードの下で、前記所持品用タグ（２００）から送信されるタグ別識別子信号を受信すれば、その受信された該当タグ別識別子信号を参照して該当所持品用タグ（２００）を認知し、その受信されたタグ別識別子信号の信号強度を検出し、その検出されたタグ別識別子信号の信号強度を前記情報記憶部（１３０）に記憶された受信信号強度別距離情報とマッチングして前記所持品位置追跡端末（１００）と前記所持品用タグ（２００）間の検出距離を認知し、その検出距離が前記情報記憶部（１３０）に記憶された使用者指定認知距離情報に相当すれば、前記情報出力部（１２０）を介してその特定の所持品用タグ（２００）を認知したという情報が出力されるように制御することを特徴とする、個人が設定した物品の位置を追跡する端末を用いた位置追跡システム。
【請求項６】
前記情報入力部（１１０）は、所持者の所持品に備えられた所持品用タグ（２００）の識別子を選択するタグ識別子選択ボタン（１１１）と、前記タグ識別子を有する該当所持品に備えられた所持品用タグ（２００）の位置追跡を要請する位置追跡要請ボタン（１１２）とを含むことを特徴とする、請求項５に記載の個人が設定した物品の位置を追跡する端末を用いた位置追跡システム。
【請求項７】
前記所持品位置追跡端末（１００）の情報記憶部（１３０）、情報通信部（１４０）及び制御部（１５０）が実装される回路基板が搭載される固定本体（１０１）と、
前記固定本体（１０１）でスライド移動する拡張型移動体（１０２）と、
前記固定本体（１０１）の終端部には前記回路基板と電気的に連結されたもので、本体案内モードが設定されるように要請する本体案内モード要請ボタン（１１３）とを含むことを特徴とする、請求項６に記載の個人が設定した物品の位置を追跡する端末を用いた位置追跡システム。
【請求項８】
前記所持品位置追跡端末（１００）を制御して、所持者の所持品に備えられた所持品用タグ（２００）の識別子選択及び前記タグ識別子を有する該当所持品に備えられた所持品用タグ（２００）の位置追跡を要請する所持品位置追跡用アプリ（３０１）が搭載された使用者端末（３００）を含むことを特徴とする、請求項５に記載の個人が設定した物品の位置を追跡する端末を用いた位置追跡システム。
【請求項９】
前記使用者端末（３００）のディスプレイ部（３１０）に出力される画面であって、所持品用タグ（２００）を識別するのに用いられるタグ識別子が表示されるタグ識別子表示欄（４１０）及び該当タグ識別子を有する所持品用タグが備えられた該当所持品の品名が表示される所持品名表示欄（４２０）を有するタグ別所持品認知用案内画面（４００）を含むことを特徴とする、請求項８に記載の個人が設定した物品の位置を追跡する端末を用いた位置追跡システム。
【請求項１０】
所持者の所持品に備えられる所持品用タグ（２００）を所持品位置追跡端末（１００）に登録する段階（Ｓ３００）と、
前記所持品位置追跡端末（１００）で、所持者の所持品に備えられた所持品用タグ（２００）の中で追跡要請された該当所持品用タグ（２００）を認識する段階（Ｓ３２０）と、
前記所持品用タグ（２００）で、該当タグを識別するのに用いられるタグ識別子情報を含むタグ別識別子信号を伝送する段階（Ｓ３３０）と、
前記所持品位置追跡端末（１００）で、設定されたモードがタグ案内モードと本体案内モードの中でどのモードであるかを確認する段階（Ｓ３４０）と、
前記所持品位置追跡端末（１００）で、設定されたモードがタグ案内モードの場合、制御部（１５０）を制御し、前記所持品用タグ（２００）からタグ別識別子信号が受信されれば、所持者の所持品に備えられた所持品用タグ（２００）の中で追跡要請された該当所持品用タグ（２００）のタグ別識別子信号が存在するかを確認する段階（Ｓ３５０）と、
前記所持品位置追跡端末（１００）の制御部（１５０）は、タグ案内モードの下で、所持者の所持品に備えられた所持品用タグ（２００）の中で追跡要請された該当所持品用タグ（２００）のタグ別識別子信号が存在すれば、その確認された該当所持品用タグ（２００）で位置案内を要請する信号として、その確認された該当所持品用タグ（２００）のタグ識別子情報を含むタグ出力信号を生成し、これを伝送する段階（Ｓ３６０）と、
追跡要請された該当所持品用タグ（２００）で、前記タグ出力信号の伝送を受け、その伝送されたタグ出力信号に含まれたタグ識別子情報と自分のタグ識別子情報が同一であれば、位置を案内する情報が出力されるように制御する段階（Ｓ３７０）とを含んでなり、
前記所持品位置追跡端末（１００）で、設定されたモードがタグ案内モードと本体案内モードの中でどのモードであるかを確認する段階（Ｓ３４０）で、前記所持品位置追跡端末（１００）で、設定されたモードが本体案内モードの場合、制御部（１５０）を制御して、前記所持品用タグ（２００）からタグ別識別子信号が受信されれば、所持者の所持品に備えられた所持品用タグ（２００）の中で追跡要請された該当所持品用タグ（２００）のタグ別識別子信号が存在するかを確認する段階（Ｓ３８０）と、前記所持品位置追跡端末（１００）の制御部（１５０）は、本体案内モードの下で、所持者の所持品に備えられた所持品用タグ（２００）の中で追跡要請された該当所持品用タグ（２００）のタグ別識別子信号が存在すれば、追跡要請された該当所持品用タグ（２００）を認知したという情報が出力されるように制御する段階（Ｓ３９０）とを含み、
前記所持品位置追跡端末（１００）の制御部（１５０）は、本体案内モードの下で、所持者の所持品に備えられた所持品用タグ（２００）の中で追跡要請された該当所持品用タグ（２００）のタグ別識別子信号が存在すれば、追跡要請された該当所持品用タグ（２００）を認知したという情報が出力されるように制御する段階（Ｓ３９０）は、前記所持品位置追跡端末（１００）の制御部（１５０）は、本体案内モードの下で、前記所持品用タグ（２００）から送信されるタグ別識別子信号を受信すれば、その受信された該当タグ別識別子信号を参照して該当所持品用タグ（２００）を認知する段階（Ｓ３９１）と、前記所持品位置追跡端末（１００）の制御部（１５０）は、本体案内モードの下で、受信された前記タグ別識別子信号の信号強度を検出する段階（Ｓ３９２）と、前記所持品位置追跡端末（１００）の制御部（１５０）は、本体案内モードの下で、検出された前記タグ別識別子信号の信号強度を既設定の受信信号強度別距離情報と比較して前記所持品位置追跡端末（１００）と追跡要請された前記所持品用タグ（２００）間の検出距離を認知する段階（Ｓ３９３）と、前記所持品位置追跡端末（１００）の制御部（１５０）は、本体案内モードの下で、その認知された検出距離が既指定の使用者指定認知距離情報内に相当するかを確認する段階（Ｓ３９４）と、前記所持品位置追跡端末（１００）の制御部（１５０）は、本体案内モードの下で、その認知された検出距離が既指定の使用者指定認知距離情報内に相当する場合、追跡要請された該当所持品用タグ（２００）を認知したという情報が出力されるように制御する段階（Ｓ３９５）とを含むことを特徴とする、個人が設定した物品の位置を追跡する端末を用いた位置追跡方法。
【請求項１１】
前記所持品位置追跡端末（１００）で、登録された所持品用タグ（２００）別に所持者の所持品が連結される情報を設定する段階（Ｓ３１０）を含むことを特徴とする、請求項１０に記載の個人が設定した物品の位置を追跡する端末を用いた位置追跡方法。
【請求項１２】
前記所持品位置追跡端末（１００）を動作制御する所持者の使用者端末（３００）で、登録された所持品用タグ（２００）別に所持者の所持品の連結される情報が設定されるように制御することを特徴とする、請求項１１に記載の個人が設定した物品の位置を追跡する端末を用いた位置追跡方法。
【請求項１３】
前記所持品位置追跡端末（１００）の制御部（１５０）は、本体案内モードの下で、その認知された検出距離が既指定の使用者指定認知距離情報内に相当するかを確認する（Ｓ３９４）段階で、
その認知された検出距離が既指定の使用者指定認知距離情報内に相当しない場合、前記所持品位置追跡端末（１００）の制御部（１５０）は、本体案内モードの下で、追跡要請された該当所持品用タグ（２００）を認知したという情報が出力されないように制御する段階（Ｓ３９６）をさらに含むことを特徴とする、請求項１０に記載の個人が設定した物品の位置を追跡する端末を用いた位置追跡方法。
【発明の詳細な説明】
【技術分野】
【０００１】
本発明は所持者が所持する多数の所持品を個別に識別し、所持者が所持する多数の所持品の中で所持者が指定した特定の所持品の位置を追跡し、所持者の所持品の中で所持者の意図によって貴重性程度が区分される所持品によって追跡要請された該当所持品を案内するメッセージが該当所持品に備えられるタグ又は所持者が把持している位置を追跡する端末の中で使用者が選択した所で選別的に出力されるように制御し、追跡要請された該当所持品の位置を案内する所が端末であると選択された場合、位置を追跡する端末と所持品に備えられるタグ間の認知距離が調節可能である個人が
設定した物品の位置を追跡する端末、その個人が設定した物品の位置を追跡する端末を用いた位置追跡システム及び方法に関する。
【背景技術】
【０００２】
かばんや衣類などの所持品が所持者の不注意及び管理粗忽によって年間数十万件以上が紛失されているが、これに対する回収率は極めて低いのが実情である。
【０００３】
一例として、ソウル市が運営している‘大衆交通統合忘れ物センター’で遺失登録された件数も２００８年１１月から２００９年１２月にわたって鉄道を除いた市内・地域内バス、法人・個人タクシーに対して総２万３３８９件が登録された。
【０００４】
ところで、このような紛失は大衆交通だけではなく学校、図書館、公園、食堂、劇場、遊び施設などの公共場所では、より多くの紛失が発生しているにもかかわらず、所持者がこれを回収する場合はめて数少ない。
【０００５】
さらに、所持者が居住する住宅の場合、スマートフォン、時計、ＴＶリモコン、エアコンリモコン、通帳、クレジットカード、重要文書、個人印章や財布、金銀のような貴重品など、所持者が所持する多様な所持品の据置又は収納場所を覚えることができない場合、捜すのに多くの時間がかかる。
【０００６】
一方、忘れ物を見つけるか拾得した拾得者の立場でも、現在は単に拾得した品物を近くの交番又は拾得物保管所に任せた後は該当拾得物の後続管理についての情報は分からなかった。また、該当拾得物を紛失した持ち主がその品物を捜してから拾得した人に適当な謝礼をしようとしても拾得者の連絡先が記録されておらず、できない場合もある。
【０００７】
したがって、忘れ物及び拾得物についての情報をインターネットのような通信網を介して効率的に管理して拾得物の申告又は登録と忘れ物を捜すことが迅速で正確になされるようにする、通信網を介しての忘れ物及び拾得物情報管理方法及びシステムの必要性があった。このような問題点を解消するためにさまざまな製品が市販されている。
【０００８】
その例として、所持品に付着されるレシーバー及びスマートフォンに組み込まれるものとして、所持品に付着されたレシーバーを追跡するアプリを用いた方式が提案された。
【０００９】
しかし、このような方式はブルートゥース（登録商標）を用いているが、距離などによってペアリングにエラーが生じるだけでなく、スマートフォンのバッテリー消耗量も大きいという問題点があった。
【００１０】
このような問題点は本出願人によって先登録（特許文献１参照）された忘れ物防止用端末機操作方法によって解消された。
【００１１】
従来の忘れ物防止用端末機操作方法は持ち主が管理しようとするそれぞれの品物にレシーバーを装着し、これを管理するために、端末として、バッテリーの消耗量が少なくてバッテリーの入れ替えの容易な専用端末である操作器によって、レシーバーが取り付けられた品物と操作器間の距離を実時間で把握することができ、ペアリング過程も簡便な利点を提供する。
【００１２】
しかし、このような利点にもかかわらず、従来の忘れ物防止用端末機操作方法は次のような問題点がある。
【００１３】
所持者が所有する物品である所持品の場合、スマートフォン、時計、ＴＶリモコン、エアコンリモコン、通帳、クレジットカード、重要文書、個人印章や財布などの幾多の所持者の所持品を個別に識別し、所持者が捜そうとする特定の所持品の位置を追跡する方式は提供することができないという問題点がある。
【先行技術文献】
【特許文献】
【００１４】
【特許文献１】韓国特許登録第１０−１５３３５３８号公報
【発明の概要】
【発明が解決しようとする課題】
【００１５】
本発明は前記のような従来技術の問題点を解決するためのもので、本発明の目的は所持者の所持品を個別に識別し、所持者が所持する多数の所持品の中で所持者が指定した特定の所持品の位置を追跡する個人が設定した物品の位置を追跡する端末、その個人が設定した物品の位置を追跡する端末を用いた位置追跡システム及び方法を提供することにある。
【課題を解決するための手段】
【００１６】
本発明を達成するための技術的思想として、本発明の個人が設定した物品の位置を追跡する端末は、所持者の所持品に備えられた所持品用タグの識別子選択及び前記タグ識別子を有する該当所持品に備えられた所持品用タグの位置追跡を要請するのに必要な情報が入力される情報入力部と、所持者の所持品に備えられた所持品用タグの識別子を選択するのに必要な情報が表示される液晶を有する情報出力部と、所持者の所持品に備えられた所持品用タグの識別子であるタグ別識別子情報が記憶される情報記憶部と、所持者の所持品の中で特定の所持品用タグの位置追跡を要請するのに必要な情報が送信される通信インターフェース機能をする情報通信部と、所持者の所持品に備えられた所持品用タグの識別子選択及び前記タグ識別子を有する該当所持品に備えられた所持品用タグの位置追跡を要請するのに必要な情報が入力、出力及び伝送されるように制御する制御部とを含む所持品位置追跡用端末から構成される。
【００１７】
本発明の個人が設定した物品の位置を追跡する端末には、前記制御部の作動方式を設定するモードとして、所持者の所持品の中で特定の所持品用タグの位置追跡によってその特定の所持品用タグを認知すれば、その特定の所持品用タグで自分の位置を案内するタグ案内モードを含み、前記制御部は、タグ案内モードの下で、所持者の所持品の中で特定の所持品用タグの位置追跡によってその特定の所持品用タグを認知すれば、その特定の所持品用タグで位置案内を要請するタグ出力信号が生成されるように制御する機能をする。
【００１８】
本発明の個人が設定した物品の位置を追跡する端末には、前記制御部の作動方式を設定するモードとして、所持者の所持品の中で特定の所持品用タグの位置追跡によってその特定の所持品用タグを認知すれば、前記所持品位置追跡用端末でその特定の所持品用タグを認知したという情報が出力されるように案内する本体案内モードを含み、前記制御部は、本体案内モードの下で、所持者の所持品の中で特定の所持品用タグの位置追跡によってその特定の所持品用タグを認知すれば、前記情報出力部を介してその特定の所持品用タグを認知したという情報が出力されるように制御する機能をする。
【００１９】
前記情報記憶部には、所持品用タグと所持品位置追跡用端末間の距離を認知することができるように所持品用タグから送信されるタグ別識別子信号を受信した所持品位置追跡用端末でその受信されたタグ別識別子信号から検出された信号強度の強弱による距離を示した受信信号強度別距離情報及び使用者が指定した情報として位置追跡時に所持品位置追跡用端末で所持品用タグを認知する設定距離を示す使用者指定認知距離情報が記憶され、前記制御部は、本体案内モードの下で、前記所持品用タグから送信されるタグ別識別子信号を受信すれば、その受信された該当タグ別識別子信号を参照して該当所持品用タグを認知し、その受信されたタグ別識別子信号の信号強度を検出し、その検出されたタグ別識別子信号の信号強度を前記情報記憶部に記憶された受信信号強度別距離情報とマッチングして前記所持品位置追跡用端末と前記所持品用タグ間の検出距離を認知し、その検出距離が前記情報記憶部に記憶された使用者指定認知距離情報に相当すれば、前記情報出力部を介してその特定の所持品用タグを認知したという情報が出力されるように制御する機能をする。
【００２０】
第１実施例による本発明の個人が設定した物品の位置を追跡する端末を用いた位置追跡システムは、所持者の所持品に備えられるもので、該当タグを識別するのに用いられるタグ識別子情報を含むタグ別識別子信号を既設定の周期ごとに伝送し、ブザーが搭載された所持品用タグと、前記所持品用タグからタグ別識別子信号が受信されれば、所持者の所持品に備えられた所持品用タグの中で追跡要請された該当所持品用タグのタグ別識別子信号が存在するかを確認し、その確認された該当所持品用タグで位置案内を要請する信号として、その確認された該当所持品用タグのタグ識別子情報を含むタグ出力信号を生成し、これを伝送する所持品位置追跡用端末とを含んでなり、追跡要請された該当所持品用タグで、前記タグ出力信号の伝送を受け、その伝送されたタグ出力信号に含まれたタグ識別子情報と自分のタグ識別子情報が同一であれば、前記ブザーを介して出力音が送出されるように制御する機能をする。
【００２１】
第１実施例による本発明の個人が設定した物品の位置を追跡する端末を用いた位置追跡システムを介して位置を追跡する過程は、所持者の所持品に備えられる所持品用タグを所持品位置追跡用端末に登録する段階と、前記所持品位置追跡用端末で、所持者の所持品に備えられた所持品用タグの中で追跡要請された該当所持品用タグを認識する段階と、前記所持品用タグで、既設定の周期ごとに該当タグを識別するのに用いられるタグ識別子情報を含むタグ別識別子信号を伝送する段階と、前記所持品位置追跡用端末で、前記所持品用タグからタグ別識別子信号が受信されれば、所持者の所持品に備えられた所持品用タグの中で追跡要請された該当所持品用タグのタグ別識別子信号が存在するかを確認する段階と、前記所持品位置追跡用端末で、所持者の所持品に備えられた所持品用タグの中で追跡要請された該当所持品用タグのタグ別識別子信号が存在すれば、その確認された該当所持品用タグで位置案内を要請する信号として、その確認された該当所持品用タグのタグ識別子情報を含むタグ出力信号を生成し、これを伝送する段階と、追跡要請された該当所持品用タグで、前記タグ出力信号の伝送を受け、その伝送されたタグ出力信号に含まれたタグ識別子情報と自分のタグ識別子情報が同一であれば、前記ブザーを介して出力音が送出されるように制御する段階とを含んでなる。
【００２２】
第２実施例による本発明の個人が設定した物品の位置を追跡する端末を用いた位置追跡システムは、所持者の所持品に備えられるもので、該当タグを識別するのに用いられるタグ識別子情報を含むタグ別識別子信号を伝送する所持品用タグと、前記所持品用タグからタグ別識別子信号が受信されれば、所持者の所持品に備えられた所持品用タグの中で追跡要請された該当所持品用タグのタグ別識別子信号が存在するかを確認し、追跡要請された該当所持品用タグが存在すれば、追跡要請された該当所持品用タグを認知したという情報が出力されるように案内する所持品位置追跡用端末とを含んでなる。
【００２３】
第２実施例による本発明の個人が設定した物品の位置を追跡する端末を用いた位置追跡システムを介して位置を追跡する過程は、所持者の所持品に備えられる所持品用タグを所持品位置追跡用端末に登録する段階と、前記所持品位置追跡用端末で、所持者の所持品に備えられた所持品用タグの中で追跡要請された該当所持品用タグを認識する段階と、前記所持品用タグで、該当タグを識別するのに用いられるタグ識別子情報を含むタグ別識別子信号を伝送する段階と、前記所持品位置追跡用端末で、前記所持品用タグからタグ別識別子信号が受信されれば、所持者の所持品に備えられた所持品用タグの中で追跡要請された該当所持品用タグのタグ別識別子信号が存在するかを確認する段階と、前記所持品位置追跡用端末で、所持者の所持品に備えられた所持品用タグの中で追跡要請された該当所持品用タグのタグ別識別子信号が存在すれば、追跡要請された該当所持品用タグを認知したという情報が出力されるように制御する段階とを含んでなる。
【００２４】
前記所持品位置追跡用端末で、所持者の所持品に備えられた所持品用タグの中で追跡要請された該当所持品用タグのタグ別識別子信号が存在すれば、追跡要請された該当所持品用タグを認知したという情報が出力されるように制御する段階は、前記所持品位置追跡用端末で、前記所持品用タグから送信されるタグ別識別子信号を受信すれば、その受信された該当タグ別識別子信号を参照して該当所持品用タグを認知する段階と、前記所持品位置追跡用端末で、受信された前記タグ別識別子信号の信号強度を検出する段階と、前記所持品位置追跡用端末で、検出された前記タグ別識別子信号の信号強度を既設定の受信信号強度別距離情報と比較して前記所持品位置追跡用端末と追跡要請された前記所持品用タグ間の検出距離を認知する段階と、前記所持品位置追跡用端末で、その認知された検出距離が既指定の使用者指定認知距離情報内に相当するかを確認する段階と、前記所持品位置追跡用端末で、その認知された検出距離が既指定の使用者指定認知距離情報内に相当する場合、追跡要請された該当所持品用タグを認知したという情報が出力されるように制御する段階とを含む。
【００２５】
第３実施例による本発明の個人が設定した物品の位置を追跡する端末を用いた位置追跡システムは、所持者の所持品に備えられた所持品用タグの識別子選択及び前記タグ識別子を有する該当所持品に備えられた所持品用タグの位置追跡を要請するのに必要な情報が入力、出力及び伝送されるように制御する制御部を有する所持品位置追跡用端末と、所持者の所持品に備えられるもので、該当タグを識別するのに用いられるタグ識別子情報を含むタグ別識別子信号を既設定の周期ごとに伝送する所持品用タグとを構成するにあたり、前記所持品位置追跡用端末は、制御部の作動方式を設定するモードが、所持者の所持品の中で特定の所持品用タグの位置追跡によってその特定の所持品用タグを認知すれば、その特定の所持品用タグで自分の位置を案内するタグ案内モードの場合、制御部を制御して、所持者の所持品の中で特定の所持品用タグの位置追跡によってその特定の所持品用タグを認知すれば、その特定の所持品用タグで位置案内を要請するタグ出力信号が生成されるように制御し、前記所持品位置追跡用端末は、制御部の作動方式を設定するモードが、所持者の所持品の中で特定の所持品用タグの位置追跡によってその特定の所持品用タグを認知すれば、前記所持品位置追跡用端末でその特定の所持品用タグを認知したという情報が出力されるように案内する本体案内モードの場合、制御部を制御して、所持者の所持品の中で特定の所持品用タグの位置追跡によってその特定の所持品用タグを認知すれば、情報出力部を介してその特定の所持品用タグを認知したという情報が出力されるように制御する機能をする。
【００２６】
第３実施例による本発明の個人が設定した物品の位置を追跡する端末を用いた位置追跡システムを介して位置を追跡する過程は、所持者の所持品に備えられる所持品用タグを所持品位置追跡用端末に登録する段階と、前記所持品位置追跡用端末で、所持者の所持品に備えられた所持品用タグの中で追跡要請された該当所持品用タグを認識する段階と、前記所持品用タグで、該当タグを識別するのに用いられるタグ識別子情報を含むタグ別識別子信号を伝送する段階と、前記所持品位置追跡用端末で、設定されたモードがタグ案内モードと本体案内モードの中でどのモードであるかを確認する段階と、前記所持品位置追跡用端末で、設定されたモードがタグ案内モードの場合、制御部を制御して、前記所持品用タグからタグ別識別子信号が受信されれば、所持者の所持品に備えられた所持品用タグの中で追跡要請された該当所持品用タグのタグ別識別子信号が存在するかを確認する段階と、前記所持品位置追跡用端末の制御部は、タグ案内モードの下で、所持者の所持品に備えられた所持品用タグの中で追跡要請された該当所持品用タグのタグ別識別子信号が存在すれば、その確認された該当所持品用タグで位置案内を要請する信号として、その確認された該当所持品用タグのタグ識別子情報を含むタグ出力信号を生成し、これを伝送する段階と、追跡要請された該当所持品用タグで、前記タグ出力信号の伝送を受け、その伝送されたタグ出力信号に含まれたタグ識別子情報と自分のタグ識別子情報が同一であれば、前記ブザーを介して出力音が送出されるように制御する段階とを含んでなる。
【発明の効果】
【００２７】
本発明は、所持者が所持する多数の所持品を個別に識別し、所持者が所持する多数の所持品の中で所持者が指定した特定の所持品の位置を追跡する効果を発揮する。
【００２８】
また、本発明は、所持者の所持品の中で所持者の意図によって貴重性程度が区分された所持品によって追跡要請された該当所持品を案内するメッセージが、該当所持品に備えられるタグ又は所持者が把持している位置を追跡する端末の中で使用者が選択した所で選別出力されるように制御する効果もある。
【００２９】
また、本発明は、追跡要請された該当所持品の位置を案内する所が端末であると選択された場合、位置を追跡する端末と所持品に備えられるタグ間の認知距離が調節可能な効果もある。
【図面の簡単な説明】
【００３０】
【図１】本発明の個人が設定した物品の位置を追跡する端末を用いた位置追跡システムを示した全体構成図である。
【図２】本発明の個人が設定した物品の位置を追跡する端末を示したブロック構成図である。
【図３】本発明の個人が設定した物品の位置を追跡する端末の外観を示した斜視図である。
【図４】本発明の個人が設定した物品の位置を追跡する端末の外観を示した断面図である。
【図５】本発明の個人が設定した物品の位置を追跡する端末の情報出力部を介して出力されるタグ別所持品認知用案内画面を示した図である。
【図６】本発明の個人が設定した物品の位置を追跡する端末を用いた位置追跡システムを運営し、所持者が所持する多数の所持品の中で所持者が指定した特定の所持品の位置を追跡するとき、その追跡される特定の所持品の位置案内を該当所持品から出力するように案内する過程を示したフローチャートである。
【図７】本発明の個人が設定した物品の位置を追跡する端末を用いた位置追跡システムを運営し、所持者が所持する多数の所持品ごとに個別に備えられる所持品用タグが能動型タグとして備えられた状態で、所持者が指定した特定の所持品の位置を追跡するとき、その追跡される特定の所持品の位置案内を端末から出力するように案内する過程を示したフローチャートである。
【図８】本発明の個人が設定した物品の位置を追跡する端末を用いた位置追跡システムを運営し、所持者が所持する多数の所持品ごとに個別に備えられる所持品用タグが能動型タグとして備えられた状態で、所持者が指定した特定の所持品の位置を追跡するとき、その追跡される特定の所持品の位置案内を端末から出力するように案内する過程を示したフローチャートである。
【図９】本発明の個人が設定した物品の位置を追跡する端末を用いた位置追跡システムを運営し、所持者が所持する多数の所持品ごとに個別に備えられる所持品用タグが受動型タグとして備えられた状態で、所持者が指定した特定の所持品の位置を追跡するとき、その追跡される特定の所持品の位置案内を端末から出力するように案内する過程を示したフローチャートである。
【図１０】本発明の個人が設定した物品の位置を追跡する端末を用いた位置追跡システムを運営し、所持者が所持する多数の所持品ごとに個別に備えられる所持品用タグが受動型タグとして備えられた状態で、所持者が指定した特定の所持品の位置を追跡するとき、その追跡される特定の所持品の位置案内を端末から出力するように案内する過程を示したフローチャートである。
【図１１】本発明の個人が設定した物品の位置を追跡する端末を用いた位置追跡システムを運営し、所持者が所持する多数の所持品の中で所持者が指定した特定の所持品の位置を追跡するとき、その追跡される特定の所持品の位置案内を所持者の選択によって特定の所持品又は端末から選別的に出力するように案内する過程を示したフローチャートである。
【図１２】本発明の個人が設定した物品の位置を追跡する端末を用いた位置追跡システムを運営し、所持者が所持する多数の所持品の中で所持者が指定した特定の所持品の位置を追跡するとき、その追跡される特定の所持品の位置案内を所持者の選択によって特定の所持品又は端末から選別的に出力するように案内する過程を示したフローチャートである。
【発明を実施するための形態】
【００３１】
本発明の実施例の構成及び作用について添付図面を参照しながら詳細に説明する。説明に先立ち、本発明は多様な変更を加えることができ、さまざまな形態を有することができるもので、下記の実施例は本発明を詳細に説明しようと言及したものであり、本発明を特定の開示形態に限定しようとするものではなく、本発明の思想及び技術範囲に含まれる全ての変更、均等物又は代替物を含むものに理解されなければならない
【００３２】
また、各図で構成要素は理解の便宜などを考慮して大きさや厚さを誇張して表現するか、あるいは単純化して表現しているが、これによって本発明の保護範囲が制限的に解釈されてはならず、同じ機能をする場合には、できるだけ同じ図面符号を付けることにする。
【００３３】
また、本発明で使用した用語はただ下記の実施例を説明するために使用したもので、本発明を限定しようとする意図ではなく、単数の表現は文脈上はっきり他に指示しない限り、複数の表現を含む。
【００３４】
図示のように、本発明の個人が設定した物品の位置を追跡する端末は、所持者の所持品を個別に識別し、所持者が所持する多数の所持品の中で所持者が指定した特定の所持品の位置を追跡する端末部材である。
【００３５】
このような機能をする本発明の個人が設定した物品の位置を追跡する端末である所持品位置追跡端末１００の詳細構成は、情報入力部１１０、情報出力部１２０、情報記憶部１３０、情報通信部１４０及び制御部１５０からなる。
【００３６】
まず、情報入力部１１０は所持者の所持品に備えられた所持品用タグ２００の識別子選択及び前記タグ識別子を有する該当所持品に備えられた所持品用タグ２００の位置追跡を要請するのに必要な情報が入力される部材である。
【００３７】
このような機能をする情報入力部１１０にはボタンを含むキーパッド（ｋｅｙ  ｐａｄ）、ドームスイッチ（ｄｏｍｅ  ｓｗｉｔｃｈ）、タッチパッド（静圧／静電）、ジョグホイール、ジョグスイッチなどが組み合わせられて構成されることができるが、本発明の実施例ではボタンを含むキーパッドを適用して説明する。
【００３８】
すなわち、キーパッドが適用される情報入力部１１０は、所持者の所持品に備えられた所持品用タグ２００の識別子を選択するタグ識別子選択ボタン１１１及びタグ識別子を有する該当所持品に備えられた所持品用タグ２００の位置追跡を要請する位置追跡要請ボタン１１２を提供する。
【００３９】
前記情報出力部１２０は所持者の所持品に備えられた所持品用タグ２００の識別子を選択するのに必要な情報が表示される部材である。
【００４０】
このような機能をする情報出力部１２０はブザー又はスピーカー及びディスプレイ部からなることができる。
【００４１】
一方、ディスプレイの場合には、２〜７セグメントを備えたＦＮＤ（Ｆｌｅｘｉｂｌｅ  Ｎｕｍｅｒｉｃ  Ｄｉｓｐｌａｙ）、液晶（ＬＣＤ）１２１、薄膜トランジスタ液晶（ＴＦＴ  ＬＣＤ）、有機発光ダイオード（ＯＬＥＤ）、フレキシブルディスプレイ（ｆｌｅｘｉｂｌｅ  ｄｉｓｐｌａｙ）、３次元ディスプレイなどの多様な出力部材が選択されて適用されることができるが、本実施例では液晶１２１を適用して説明する。
【００４２】
また、ブザーはスピーカーと同様に電気的に金属板などを振動させて音を出力する部材である。
【００４３】
前記情報記憶部１３０は、所持者の所持品に備えられた所持品用タグ２００の識別子であるタグ別識別子情報とともに、所持者の所持品を個別に識別し、所持者が所持する多数の所持品の中で所持者が指定した特定の所持品の位置を追跡するのに必要な多様な情報が記憶される部材である。
【００４４】
このような機能をする情報記憶部１３０は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＳＤ又はＸＤメモリなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリの中で一つ又はこれらの組合せからなることができる。
【００４５】
前記情報通信部１４０は所持者の所持品の中で特定の所持品用タグ２００の位置追跡を要請するのに必要な情報が送信される通信インターフェース機能をする部材である。
【００４６】
このような機能をする情報通信部１４０には後述する使用者端末３００と所持品用タグ２００との無線通信のために、近距離通信モジュール及びＲＦＩＤ通信モジュールを含むことができる。
【００４７】
まず、近距離通信モジュールは、ブルートゥース（登録商標）通信、赤外線通信、可視光通信、人体通信又は媒介通信、ジグビー（Ｚｉｇｂｅｅ）通信、ＮＦＣ（Ｎｅａｒ  Ｆｉｅｌｄ  Ｃｏｍｍｕｎｉｃａｔｉｏｎ）通信、ＲＦＩＤ（Ｒａｄｉｏ  Ｆｒｅｑｕｅｎｃｙ  ＩＤｅｎｔｉｆｉｃａｔｉｏｎ）通信のいずれか一つを選択して使うことができ、本発明の実施例ではブルートゥース（登録商標）通信、特にＢＬＥ（Ｂｌｕｅｔｏｏｔｈ（登録商標）Ｌｏｗ  Ｅｎｅｒｇｙ）技術が適用されたものとして説明する。ただ、近距離通信モジュールはブルートゥース（登録商標）通信に制限されず、前述した多様な近距離通信方式を選択して使うことができる。
【００４８】
また、ＲＦＩＤ通信モジュールは情報送信距離が１０ｍ内外で認識可能なもので、８６０〜９６０ＭＨｚ程度の周波数帯域を用いるＵＨＦ（Ｕｌｔｒａ  Ｈｉｇｈ  Ｆｒｅｑｕｅｎｃｙ）ＲＦＩＤ通信モジュールを使うことができる。
【００４９】
前記制御部１５０は所持者の所持品に備えられた所持品用タグ２００の識別子選択及び前記タグ識別子を有する該当所持品に備えられた所持品用タグ２００の位置追跡を要請するのに必要な情報の入力、出力及び伝送のように所持者の所持品を個別に識別し、所持者が所持する多数の所持品の中で所持者が指定した特定の所持品の位置を追跡するのに必要な全般的な動作を制御する部材である。
【００５０】
このような構成からなった所持品位置追跡端末１００は、所持者が所持する多数の所持品の中で所持者が指定した特定の所持品の位置を追跡するとき、その追跡される特定の所持品の位置案内を所持者の選択によって特定の所持品から出力されるようにするか又は端末から出力されるようにするなど、選別的に出力されるように案内するサービスを提供することができる。
【００５１】
このために、所持品位置追跡端末１００には、制御部１５０の作動方式を設定するモードとして、所持者の所持品の中で特定の所持品用タグ２００の位置追跡によってその特定の所持品用タグ２００を認知すれば、その特定の所持品用タグ２００で自分の位置を案内するタグ案内モードを設定することができるように提供する。
【００５２】
このように、所持品位置追跡端末１００がタグ案内モードに設定された場合、制御部１５０は所持者の所持品の中で特定の所持品用タグ２００の位置追跡によってその特定の所持品用タグ２００を認知すれば、その特定の所持品用タグ２００から位置案内を要請するタグ出力信号が生成されるように制御する機能をする。
【００５３】
このように、所持品位置追跡端末１００をタグ案内モードに設定して使用する場合に適用される所持品にはスマートフォン又は各種の電子機器のリモコンのように一般的なものであり、所持者がより速かに該当所持品を捜すことができるように該当所持品に備えられた所持品用タグ２００から位置を案内する送出音が出力されることができるように提供する。
【００５４】
一方、所持品用タグ２００から位置を案内する情報は送出音とともに、振動、光又はこれらの組合せとして出力されることができるように提供する。
【００５５】
また、所持品位置追跡端末１００には、制御部１５０の作動方式を設定するモードとして、所持者の所持品の中で特定の所持品用タグ２００の位置追跡によってその特定の所持品用タグ２００を認知すれば、前記所持品位置追跡端末１００でその特定の所持品用タグ２００を認知したという情報が出力されるように案内する本体案内モードを設定することができるように提供する。
【００５６】
このように、所持品位置追跡端末１００が本体案内モードに設定された場合、制御部１５０は所持者の所持品の中で特定の所持品用タグ２００の位置追跡によってその特定の所持品用タグ２００を認知すれば、情報出力部１２０であるブザー又はスピーカーを介してその特定の所持品用タグ２００を認知したという情報が出力されるように制御する機能をする。
【００５７】
このように、所持品位置追跡端末１００を本体案内モードに設定して使用する場合に適用される所持品には金、銀及びダイヤモンドのような貴金属、各種の銀行通帳、担保証書のような重要書類及び実印のような貴重品を使うことができる。所持者は貴重品を外部人が知らない自宅内の多くの空間に分散して保管する。ここで、所持者が捜そうとする特定の所持品である該当貴重品から位置を案内する出力音が送出されれば、次のような弊害が引き起こされる。
【００５８】
所持者の自宅に無断侵入した外部人が所持品用タグ２００の識別子リストを無作為に入力して位置追跡を要請する場合、該当位置が容易に露出されることができるからである。
【００５９】
よって、所持品位置追跡端末１００から位置を案内する出力音が出力されるように制御するために本体案内モードを使い、なお一層保安効率を最大化しようと所持品位置追跡端末１００と該当貴重品に備えられる所持品用タグ２００間の距離である検出距離も貴重品を所持する所持者が設定することができるように提供することが好ましい。
【００６０】
すなわち、所持者の所持品の貴重性程度が低いと思って検出距離を１ｍの広い半径に設定した状態で該当所持品の追跡のために所持品位置追跡端末１００を把持して自宅内のあちこちを歩き回るとき、所持者の所持品位置追跡端末１００と位置追跡している該当貴重品に備えられた所持品用タグ２００間の距離が１ｍ以内にあるときにのみ所持品位置追跡端末１００から位置案内する出力音が出力される。
【００６１】
仮に、所持者の所持品の貴重性程度が高いと思われれば、検出距離を３０ｃｍ又はその以下の距離に設定することにより、無断侵入した外部人から自宅内の多くの空間に分散保管している多様な貴重品の露出は最小化しながらも所持者の場合には貴重品を特定して追跡することができる。
【００６２】
このために、所持品位置追跡端末１００の情報記憶部１３０には、所持品用タグ２００と所持品位置追跡端末１００間の距離を認知することができるように所持品用タグ２００から送信されるタグ別識別子信号を受信した所持品位置追跡端末１００でその受信されたタグ別識別子信号の検出された信号強度の強弱による距離を示した受信信号強度別距離情報及び使用者が指定した情報で位置追跡するとき所持品位置追跡端末１００で所持品用タグ２００を認知する設定距離を示す使用者指定認知距離情報が記憶管理される。
【００６３】
そして、所持品位置追跡端末１００の制御部１５０は、本体案内モードの下で、所持品用タグ２００から送信されるタグ別識別子信号を受信すれば、その受信された該当タグ別識別子信号を参照して該当所持品用タグ２００を認知し、その受信されたタグ別識別子信号の信号強度を検出し、その検出されたタグ別識別子信号の信号強度を前記情報記憶部１３０に記憶された受信信号強度別距離情報とマッチングして前記所持品位置追跡端末１００と前記所持品用タグ２００間の検出距離を認知し、その検出距離が前記情報記憶部１３０に記憶された使用者指定認知距離情報に相当すれば、前記情報出力部１２０を介してその特定の所持品用タグ２００を認知したという情報が出力されるように制御する機能をする。
【００６４】
一方、本体案内モード及びタグ案内モードの設定は多様な方式を用いて設定することができ、その一例を説明すれば次のようである。
【００６５】
まず、所持品位置追跡端末１００は、情報記憶部１３０、情報通信部１４０及び制御部１５０などが実装される回路基板が搭載される固定本体１０１及び固定本体１０１でスライド移動する拡張型移動体１０２からなったハウジングに搭載される。
【００６６】
ここで、固定本体１０１の終端部には、回路基板と電気的に連結されたもので、本体案内モードが設定されるように要請する本体案内モード要請ボタン１１３が設けられることにより、固定本体１０１及び拡張型移動体１０２が拡張されていない状態であればタグ案内モードに設定された状態であり、固定本体１０１から拡張型移動体１０２がスライド移動して長さが延びれば本体案内モードに設定され、所持者が要請する特定の所持品の位置追跡サービスを遂行することができるように案内する。
【００６７】
このような機能をする所持品位置追跡端末１００は充電して使用することができ、クレードルのような充電本体を提供して充電することができるように提供することができる。
【００６８】
また、所持品位置追跡端末１００は壁に着脱可能に提供することができる。ここで、着脱は磁石又はベルクロ（登録商標）テープなどの多様な着脱部材を用いて提供することができる。
【００６９】
このような構成を有する所持品位置追跡端末１００を用いて、所持者が要請する特定の所持品の位置追跡サービスを提供するシステムをタグ案内モード及び本体案内モードに区分して説明すれば次のようである。
【００７０】
まず、タグ案内モード状態の個人が設定した物品の位置を追跡する端末を用いた位置追跡システムの構成は所持品用タグ２００及び所持品位置追跡端末１００からなる。
【００７１】
前記所持品用タグ２００は所持者の所持品ごとに個別に備えられるもので、該当タグを識別するのに用いられるタグ識別子情報を含むタグ別識別子信号を既設定の周期ごとに伝送し、ブザーが搭載された部材であり、後述する所持品位置追跡端末１００から伝送されるタグ出力信号が受信されれば、その受信されたタグ出力信号に含まれたタグ識別子情報と自分のタグ識別子情報が同一であるかを確認し、同一である場合にのみブザーを介して出力音が送出されるように制御する機能をする。
【００７２】
このような機能をするために、タグ案内モード方式で使われる所持品用タグ２００はそれ自体がバッテリー電源を備えた能動型タグとして使うことができる。
【００７３】
前記所持品位置追跡端末１００は、所持品用タグ２００からタグ別識別子信号が受信されれば、所持者の所持品に備えられた所持品用タグ２００の中で追跡要請された該当所持品用タグ２００のタグ別識別子信号が存在するかを確認し、その確認された該当所持品用タグ２００で、位置案内を要請する信号として、その確認された該当所持品用タグ２００のタグ識別子情報を含むタグ出力信号を生成し、これを伝送する部材である。
【００７４】
このような機能をする前記所持品位置追跡端末１００の詳細構成は、前述したように、情報入力部１１０、情報出力部１２０、情報記憶部１３０、情報通信部１４０及び制御部１５０であり、その機能は同一である。
【００７５】
ただ、相違点は、制御部１５０の場合、所持者の所持品に備えられた所持品用タグ２００の識別子選択及び前記タグ識別子を有する該当所持品に備えられた所持品用タグ２００の位置追跡を要請するのに必要な情報が入力、出力及び伝送されるように制御し、前記所持品用タグ２００からタグ別識別子信号が受信されれば、所持者の所持品に備えられた所持品用タグ２００の中で追跡要請された該当所持品用タグ２００のタグ別識別子信号が存在するかを確認し、その確認された該当所持品用タグ２００で位置案内を要請する信号として、その確認された該当所持品用タグ２００のタグ識別子情報を含むタグ出力信号を生成し、その生成されたタグ出力信号が伝送されるように制御する機能をする部分である。
【００７６】
一方、本発明の個人が設定した物品の位置を追跡する端末を用いた位置追跡システムには、ブルートゥース（登録商標）ペアリングを介して連結される所持品位置追跡端末１００を制御し、所持者の所持品に備えられた所持品用タグ２００の識別子選択及び前記タグ識別子を有する該当所持品に備えられた所持品用タグ２００の位置追跡を要請する所持品位置追跡用アプリ３０１が搭載された使用者端末３００が追加に備えられる。
【００７７】
ここで、所持品位置追跡用アプリ３０１は応用アプリケーションであり、使用者端末３００にエンベデッド（ｅｍｂｅｄｅｄ）方式で搭載されるか、使用者端末３００のオペレーティングシステム（ＯＳ）にインストール（ｉｎｓｔａｌｌ）する方式で搭載される。すなわち、所持者が使用者端末３００を介してアプリストアーに接続してダウンロードして使うことができるものである。
【００７８】
また、使用者端末３００に記憶されるものとして、持品位置追跡用アプリ３０１によって管理されるタグ別所持品認知用案内画面４００は使用者端末３００のディスプレイ部３１０に出力される画面であって、所持品用タグ２００を識別するのに用いられるタグ識別子が表示されるタグ識別子表示欄４１０及び該当タグ識別子を有する所持品用タグが備えられた該当所持品の品名が表示される所持品名表示欄４２０を有する出力画面である。
【００７９】
所持者は所持品位置追跡用アプリ３０１を介して管理されるタグ別所持品認知用案内画面４００を操作して個々の所持品ごとに接着又は連結されて備えられる各所持品用タグ２００を区分して直観的に認識することができるように直接情報入力部１１０を介して操作管理することにより、多数の所持品に備えられる個々の所持品用タグ２００の識別子をはっきりと認識することができるように提供する。
【００８０】
このような構成からなった、個人が設定した物品の位置を追跡する端末を用いた位置追跡システムを運営して、所持者が所持する多数の所持品の中で所持者が指定した特定の所持品の位置を追跡するとき、その追跡される特定の所持品の位置案内を該当所持品から出力されるように案内する過程を図６に基づいて説明すれば次のようである。
【００８１】
まず、所持者の所持品に備えられる所持品用タグ２００を順次所持品位置追跡端末１００に登録する（Ｓ１００）。これはペアリングを介して遂行される。
【００８２】
その後、所持者は所持品位置追跡端末１００に搭載された所持品位置追跡用アプリ３０１を実行してタグ別所持品認知用案内画面４００を出力した後、タグ識別子表示欄４１０及び所持品名表示欄４２０にそれぞれ入力様式に合うように入力してから記憶することにより、登録された所持品用タグ２００別に所持者の所持品が連結される情報を設定する（Ｓ１１０）。
【００８３】
ここで、使用者端末３００の所持品位置追跡用アプリ３０１で所持品位置追跡端末１００の動作を制御して、登録された所持品用タグ２００別に所持者の所持品が連結される情報が設定されるように制御することができる。
【００８４】
その後、所持者が所持品位置追跡端末１００の情報入力部１１０を操作して捜そうとする所持品に備えられた所持品用タグ２００の追跡を要請すれば、所持品位置追跡端末１００の制御部１５０は所持者の所持品に備えられた所持品用タグ２００の中で追跡要請された該当所持品用タグ２００を認識する（Ｓ１２０）。
【００８５】
一方、所持品用タグ２００は既設定の周期ごとに該当タグを識別するのに用いられるタグ識別子情報を含むタグ別識別子信号を既設定の周期ごとに伝送し（Ｓ１３０）、所持者は所持品位置追跡端末１００を持って自宅内のあちこちを歩き回りながら、所持品位置追跡端末１００で所持品用タグ２００から伝送されるタグ別識別子信号を収集することができるように提供する。
【００８６】
所持品位置追跡端末１００の制御部１５０は、所持品用タグ２００からタグ別識別子信号が受信されれば、所持者の所持品に備えられた所持品用タグ２００の中で追跡要請された該当所持品用タグ２００のタグ別識別子信号が存在するかを確認する（Ｓ１４０）。
【００８７】
所持品位置追跡端末１００の制御部１５０は、所持者の所持品に備えられた所持品用タグ２００の中で追跡要請された該当所持品用タグ２００のタグ別識別子信号が存在すれば、その確認された該当所持品用タグ２００で位置案内を要請する信号として、その確認された該当所持品用タグ２００のタグ識別子情報を含むタグ出力信号を生成し、これを伝送する（Ｓ１５０）。
【００８８】
その後、追跡要請された該当所持品用タグ２００はタグ出力信号の伝送を受け、その伝送されたタグ出力信号に含まれたタグ識別子情報と自分のタグ識別子情報が同一であれば、ブザーを介して出力音が送出されるように制御する（Ｓ１６０）ことにより、所持者が捜そうとする該当所持品の位置を認知することができるように案内する。
【００８９】
そして、本体案内モード状態の個人が設定した物品の位置を追跡する端末を用いた位置追跡システムの構成もそれ自体がバッテリー電源を備えた能動型タグが適用される所持品用タグ２００及び所持品位置追跡端末１００からなる。
【００９０】
ただ、相違点は、所持品用タグ２００にブザーが搭載されなくても具現が可能であることである。このために、タグ案内モード方式で使われる所持品用タグ２００はそれ自体がバッテリー電源を備えた能動型タグであるだけではなく所持品位置追跡端末１００から送信される識別子出力要請信号を受信し、その受信された識別子出力要請信号によって誘導される起電力を電源として用いてタグ別識別子信号を送信する受動型タグとしても使用可能である。この部分については以下でより詳細に説明する。
【００９１】
そして、所持品位置追跡端末１００は、所持品用タグ２００からタグ別識別子信号が受信されれば、所持者の所持品に備えられた所持品用タグ２００の中で追跡要請された該当所持品用タグ２００のタグ別識別子信号が存在するかを確認し、追跡要請された該当所持品用タグ２００が存在すれば、追跡要請された該当所持品用タグ２００を認知したという情報が出力されるように案内する機能をする部分が相違点である。
【００９２】
このような機能をする前記所持品位置追跡端末１００の詳細構成もタグ案内モードの下での情報入力部１１０、情報出力部１２０、情報記憶部１３０、情報通信部１４０及び制御部１５０であり、その機能は同一である。
【００９３】
ただ、相違点は、制御部１５０の場合、所持品用タグ２００からタグ別識別子信号が受信されれば、所持者の所持品に備えられた所持品用タグ２００の中で追跡要請された該当所持品用タグ２００のタグ別識別子信号が存在するかを確認し、追跡要請された該当所持品用タグ２００が存在すれば、追跡要請された該当所持品用タグ２００を認知したという情報が出力されるように制御する機能をする部分である。
【００９４】
また、情報記憶部１３０には、所持品用タグ２００と所持品位置追跡端末１００間の距離を認知することができるように所持品用タグ２００から送信されるタグ別識別子信号を受信した所持品位置追跡端末１００でその受信されたタグ別識別子信号の検出された信号強度の強弱による距離を示した受信信号強度別距離情報及び使用者が指定した情報であって位置追跡時に所持品位置追跡端末１００で所持品用タグ２００を認知する設定距離を示す使用者指定認知距離情報が記憶される部分が付け加わる。
【００９５】
これにより、制御部１５０は、本体案内モードの下で、所持品用タグ２００から送信されるタグ別識別子信号を受信すれば、その受信された該当タグ別識別子信号を参照して該当所持品用タグ２００を認知し、その受信されたタグ別識別子信号の信号強度を検出し、その検出されたタグ別識別子信号の信号強度を前記情報記憶部１３０に記憶された受信信号強度別距離情報とマッチングして所持品位置追跡端末１００と所持品用タグ２００間の検出距離を認知し、その検出距離が前記情報記憶部１３０に記憶された使用者指定認知距離情報に相当すれば、情報出力部１２０を介してその特定の所持品用タグ２００を認知したという情報が出力されるように制御する機能が付け加わる。
【００９６】
一方、所持品位置追跡端末１００で本体案内モードを設定するためには、所持品位置追跡端末１００を成すハウジングである固定本体１０１から拡張型移動体１０２をスライド移動させて長さを延ばせば、固定本体１０１の終端部に備えられた本体案内モード要請ボタン１１３が拡張型移動体１０２の先端に圧着されることによって可能である。
【００９７】
また、本体案内モードの下での所持品位置追跡端末１００でも所持品位置追跡用アプリ３０１が搭載された使用者端末３００を介して所持品位置追跡端末１００を制御して、所持者の所持品に備えられた所持品用タグ２００の識別子選択及びタグ識別子を有する該当所持品に備えられた所持品用タグ２００の位置追跡を要請する機能をすることができる。
【００９８】
このような構成からなった個人が設定した物品の位置を追跡する端末を用いた位置追跡システムを運営して、所持者が所持する多数の所持品ごとに個別に備えられる所持品用タグ２００が能動型タグとして備えられた状態で、所持者が指定した特定の所持品の位置を追跡するとき、その追跡される特定の所持品の位置案内を所持品位置追跡端末１００から出力されるように案内する過程を図７及び図８に基づいて説明すれば次のようである。
【００９９】
まず、所持者の所持品に備えられる所持品用タグ２００を順次所持品位置追跡端末１００に登録する（Ｓ２００）。これはペアリングを介して遂行される。
【０１００】
その後、所持者は所持品位置追跡端末１００に搭載された所持品位置追跡用アプリ３０１を実行してタグ別所持品認知用案内画面４００を出力した後、タグ識別子表示欄４１０及び所持品名表示欄４２０にそれぞれ入力様式に合うように入力してから記憶することにより、登録された所持品用タグ２００別に所持者の所持品が連結される情報を設定する（Ｓ２１０）。
【０１０１】
ここで、使用者端末３００の所持品位置追跡用アプリ３０１で、所持品位置追跡端末１００を動作制御して、登録された所持品用タグ２００別に所持者の所持品の連結される情報が設定されるように制御することができる。
【０１０２】
その後、所持品位置追跡端末１００を成すハウジングである固定本体１０１から拡張型移動体１０２をスライド移動させて長さを伸ばして、固定本体１０１の終端部に備えられた本体案内モード要請ボタン１１３が拡張型移動体１０２の先端に圧着されることにより、本体案内モード実行を要請し、所持品位置追跡端末１００の制御部１５０は、本体案内モードの下で、所持品位置追跡端末１００の情報入力部１１０を介して捜そうとする所持品に備えられた所持品用タグ２００の追跡が要請されれば、所持品位置追跡端末１００の制御部１５０は所持者の所持品に備えられた所持品用タグ２００の中で追跡要請された該当所持品用タグ２００を認識する（Ｓ２２０）。
【０１０３】
一方、所持品用タグ２００は既設定の周期ごとに該当タグを識別するのに用いられるタグ識別子情報を含むタグ別識別子信号を既設定の周期ごとに伝送し（Ｓ２３０）、所持者は所持品位置追跡端末１００を持って自宅内のあちこちを歩き回りながら、所持品位置追跡端末１００で所持品用タグ２００から伝送されるタグ別識別子信号を収集することができるように提供する。
【０１０４】
所持品位置追跡端末１００の制御部１５０は、所持品用タグ２００からタグ別識別子信号が受信されれば、所持者の所持品に備えられた所持品用タグ２００の中で追跡要請された該当所持品用タグ２００のタグ別識別子信号が存在するかを確認する（Ｓ２４０）。
【０１０５】
その後、所持品位置追跡端末１００の制御部１５０は、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する（Ｓ２５０）機能をする。
【０１０６】
ここで、所持品位置追跡端末１００で、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する（Ｓ２５０）過程は次のように詳細な段階に区分されて提供できる。
【０１０７】
まず、所持品位置追跡端末１００は、所持品用タグ２００から送信されるタグ別識別子信号を受信すれば、その受信された該当タグ別識別子信号を参照して該当所持品用タグ２００を認知する（Ｓ２５１）。
【０１０８】
その後、所持品位置追跡端末１００は、受信された前記タグ別識別子信号の信号強度を検出する（Ｓ２５２）。
【０１０９】
その後、所持品位置追跡端末１００は検出されたタグ別識別子信号の信号強度を既設定の受信信号強度別距離情報と比較して所持品位置追跡端末１００と追跡要請された前記所持品用タグ２００間の検出距離を認知する（Ｓ２５３）。
【０１１０】
その後、所持品位置追跡端末１００は、その認知された検出距離が既指定の使用者指定認知距離情報内に相当するか確認し（Ｓ２５４）、その認知された検出距離が既指定の使用者指定認知距離情報内に相当する場合、追跡要請された該当所持品用タグ２００を認知したという情報が出力されるように制御する（Ｓ２５５）。
【０１１１】
一方、所持品位置追跡端末１００は、その認知された検出距離が既指定の使用者指定認知距離情報内に相当するかを確認する（Ｓ２５４）過程で、その認知された検出距離が既指定の使用者指定認知距離情報内に相当しない場合、所持品位置追跡端末１００で、追跡要請された該当所持品用タグ２００を認知したという情報が出力されないように制御する（Ｓ２５６）過程も遂行する。
【０１１２】
さらに、誘導起電力によって駆動される受動型タグが適用された本体案内モード状態の個人が設定した物品の位置を追跡する端末を用いた位置追跡システムの構成は、所持者の所持品に備えられた所持品用タグ２００の中で追跡要請された該当所持品用タグ２００のタグ別識別子信号を含む識別子出力要請信号を既設定の周期ごとに伝送する所持品位置追跡端末１００と、前記所持品位置追跡端末１００から送信される識別子出力要請信号を受信し、その受信された識別子出力要請信号によって誘導される起電力を電源として用いてタグ別識別子信号を伝送する所持品用タグ２００とからなり、前記所持品位置追跡端末１００で、前記所持品用タグ２００からタグ別識別子信号が受信されれば、所持者の所持品に備えられた所持品用タグ２００の中で追跡要請された該当所持品用タグ２００のタグ別識別子信号が存在するかを確認し、追跡要請された該当所持品用タグ２００が存在すれば、追跡要請された該当所持品用タグ２００を認知したという情報が出力されるように案内する機能をする。
【０１１３】
このような構成からなった個人が設定した物品の位置を追跡する端末を用いた位置追跡システムを運営して、所持者が所持する多数の所持品ごとに個別に備えられる所持品用タグ２００が受動型タグとして備えられた状態で、所持者が指定した特定の所持品の位置を追跡するとき、その追跡される特定の所持品の位置案内を所持品位置追跡端末１００から出力されるように案内する過程を図９及び図１０に基づいて説明すれば次のようである。
【０１１４】
所持者の所持品に備えられる所持品用タグ２００を所持品位置追跡端末１００に登録する段階（Ｓ２６１）と、所持者は所持品位置追跡端末１００に搭載された所持品位置追跡用アプリ３０１を実行してタグ別所持品認知用案内画面４００を出力した後、タグ識別子表示欄４１０及び所持品名表示欄４２０にそれぞれ入力様式に合うように入力してから記憶することにより、登録された所持品用タグ２００別に所持者の所持品が連結される情報を設定する段階（Ｓ２６３）と、前記所持品位置追跡端末１００で、所持者の所持品に備えられた所持品用タグ２００の中で追跡要請された該当所持品用タグ２００を認識する段階（Ｓ２６５）と、前記所持品位置追跡端末１００で、追跡要請された該当所持品用タグ２００のタグ別識別子信号を含む識別子出力要請信号を既設定の周期ごとに伝送する段階（Ｓ２６９）と、前記所持品用タグ２００で、前記所持品位置追跡端末１００から送信される識別子出力要請信号を受信し、その受信された識別子出力要請信号によって誘導される起電力を電源として用いてタグ別識別子信号を伝送する段階（Ｓ２７１）と、前記所持品位置追跡端末１００で、前記所持品用タグ２００からタグ別識別子信号が受信されれば、所持者の所持品に備えられた所持品用タグ２００の中で追跡要請された該当所持品用タグ２００のタグ別識別子信号が存在するかを確認する段階（Ｓ２７５）と、前記所持品位置追跡端末１００で、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する段階（Ｓ２８０）とからなる。
【０１１５】
ここで、所持品位置追跡端末１００で、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する（Ｓ２８０）過程は次のように詳細な段階に区分されて提供できる。
【０１１６】
まず、所持品位置追跡端末１００は、所持品用タグ２００から送信されるタグ別識別子信号を受信すれば、その受信された該当タグ別識別子信号を参照して該当所持品用タグ２００を認知する（Ｓ２８１）。
【０１１７】
その後、所持品位置追跡端末１００は、受信された前記タグ別識別子信号の信号強度を検出する（Ｓ２８２）。
【０１１８】
その後、所持品位置追跡端末１００は、検出されたタグ別識別子信号の信号強度を既設定の受信信号強度別距離情報と比較して所持品位置追跡端末１００と追跡要請された前記所持品用タグ２００間の検出距離を認知する（Ｓ２８３）。
【０１１９】
その後、所持品位置追跡端末１００はその認知された検出距離が既指定の使用者指定認知距離情報内に相当するかを確認し（Ｓ２８４）、その認知された検出距離が既指定の使用者指定認知距離情報内に相当する場合、追跡要請された該当所持品用タグ２００を認知したという情報が出力されるように制御する（Ｓ２８５）。
【０１２０】
一方、所持品位置追跡端末１００は、その認知された検出距離が既指定の使用者指定認知距離情報内に相当するかを確認する（Ｓ２５４）過程で、その認知された検出距離が既指定の使用者指定認知距離情報内に相当しない場合、所持品位置追跡端末１００で、追跡要請された該当所持品用タグ２００を認知したという情報が出力されないように制御する（Ｓ２８６）過程も遂行する。
【０１２１】
本発明の個人が設定した物品の位置を追跡する端末を用いた位置追跡システムは、本体案内モードとタグ案内モードを選択して使うこともできる。
【０１２２】
このために、本体案内モードとタグ案内モードを選択して使用することができる本発明の個人が設定した物品の位置を追跡する端末を用いた位置追跡システムの構成は、所持者の所持品に備えられた所持品用タグ２００の識別子選択及びタグ識別子を有する該当所持品に備えられた所持品用タグ２００の位置追跡を要請するのに必要な情報が入力、出力及び伝送されるように制御する制御部１５０を有する所持品位置追跡端末１００、及び所持者の所持品に備えられるもので、該当タグを識別するのに用いられるタグ識別子情報を含むタグ別識別子信号を既設定の周期ごとに伝送する所持品用タグ２００から構成される。
【０１２３】
これにより、所持品位置追跡端末１００は、制御部１５０の作動方式を設定するモードが、所持者の所持品の中で特定の所持品用タグ２００の位置追跡によってその特定の所持品用タグ２００を認知すれば、その特定の所持品用タグ２００で自分の位置を案内するタグ案内モードの場合、制御部１５０を制御して、所持者の所持品の中で特定の所持品用タグ２００の位置追跡によってその特定の所持品用タグ２００を認知すれば、その特定の所持品用タグ２００で位置案内を要請するタグ出力信号が生成されるように制御する。
【０１２４】
その後、所持品位置追跡端末１００は、制御部１５０の作動方式を設定するモードがタグ案内モードの場合、タグ出力信号を伝送する。
【０１２５】
その後、追跡要請された該当所持品用タグ２００はタグ出力信号の伝送を受ければ、その伝送されたタグ出力信号に含まれたタグ識別子情報と自分のタグ識別子情報が同一である場合にのみ該当所持品用ブザーを介して出力音が送出されるように制御する。
【０１２６】
一方、所持品位置追跡端末１００は、制御部１５０の作動方式を設定するモードが、所持者の所持品の中で特定の所持品用タグ２００の位置追跡によってその特定の所持品用タグ２００を認知すれば、所持品位置追跡端末１００でその特定の所持品用タグ２００を認知したという情報が出力されるように案内する本体案内モードの場合、制御部１５０を制御して、所持者の所持品の中で特定の所持品用タグ２００の位置追跡によってその特定の所持品用タグ２００を認知すれば、情報出力部１２０を介してその特定の所持品用タグ２００を認知したという情報が出力されるように制御する選択的な機能をする。
【０１２７】
このようなタグ案内モードと本体案内モードが選択的に具現される本発明の基本的な詳細構成は、所持者の所持品に備えられた所持品用タグ２００の識別子選択及びタグ識別子を有する該当所持品に備えられた所持品用タグ２００の位置追跡を要請するのに必要な情報が入力される情報入力部１１０、所持者の所持品に備えられた所持品用タグ２００の識別子を選択するのに必要な情報が表示される液晶１２１を有する情報出力部１２０、所持者の所持品に備えられた所持品用タグ２００の識別子であるタグ別識別子情報が記憶される情報記憶部１３０、及び所持者の所持品の中で特定の所持品用タグ２００の位置追跡を要請するのに必要な情報が送信される通信インターフェース機能をする情報通信部１４０を含む。
【０１２８】
また、所持品位置追跡端末１００で本体案内モードを設定するためには、所持品位置追跡端末１００を成すハウジングである固定本体１０１から拡張型移動体１０２をスライド移動させて長さを延ばせば、固定本体１０１の終端部に備えられた本体案内モード要請ボタン１１３が拡張型移動体１０２の先端に圧着されることによって可能である。
【０１２９】
また、所持品位置追跡端末１００は、所持品位置追跡用アプリ３０１が搭載された使用者端末３００を介して所持品位置追跡端末１００を制御して、所持者の所持品に備えられた所持品用タグ２００の識別子選択及びタグ識別子を有する該当所持品に備えられた所持品用タグ２００の位置追跡を要請する機能をすることができる。
【０１３０】
このために、使用者端末３００には、使用者端末３００のディスプレイ部３１０に出力される画面として、所持品用タグ２００を識別するのに用いられるタグ識別子が表示されるタグ識別子表示欄４１０及び該当タグ識別子を有する所持品用タグが備えられた該当所持品の品名が表示される所持品名表示欄４２０を有するタグ別所持品認知用案内画面４００が所持品位置追跡用アプリ３０１を介して記憶管理される。
【０１３１】
そして、情報記憶部１３０には、所持品用タグ２００と所持品位置追跡端末１００間の距離を認知することができるように所持品用タグ２００から送信されるタグ別識別子信号を受信した所持品位置追跡端末１００でその受信されたタグ別識別子信号の検出された信号強度の強弱による距離を示した受信信号強度別距離情報、及び使用者が指定した情報として、位置追跡時に所持品位置追跡端末１００で所持品用タグ２００を認知する設定距離を示す使用者指定認知距離情報が記憶される部分が付け加わる。
【０１３２】
これにより、制御部１５０は、本体案内モードの下で、所持品用タグ２００から送信されるタグ別識別子信号を受信すれば、その受信された該当タグ別識別子信号を参照して該当所持品用タグ２００を認知し、その受信されたタグ別識別子信号の信号強度を検出し、その検出されたタグ別識別子信号の信号強度を前記情報記憶部１３０に記憶された受信信号強度別距離情報とマッチングして所持品位置追跡端末１００と所持品用タグ２００間の検出距離を認知し、その検出距離が前記情報記憶部１３０に記憶された使用者指定認知距離情報に相当すれば、情報出力部１２０を介してその特定の所持品用タグ２００を認知したという情報が出力されるように制御する機能をする。
【０１３３】
本発明の個人が設定した物品の位置を追跡する端末を用いた位置追跡システムを運営して、所持者が所持する多数の所持品の中で所持者が指定した特定の所持品の位置を追跡するとき、その追跡される特定の所持品の位置案内を所持者の選択によって特定の所持品又は端末から選別的に出力されるように案内する過程を図１１及び図１２に基づいて説明すれば次のようである。
【０１３４】
まず、所持者の所持品に備えられる所持品用タグ２００をペアリングを介して所持品位置追跡端末１００に登録する（Ｓ３００）。
【０１３５】
その後、所持者は、所持品位置追跡端末１００に搭載された所持品位置追跡用アプリ３０１を実行してタグ別所持品認知用案内画面４００を出力した後、タグ識別子表示欄４１０及び所持品名表示欄４２０にそれぞれ入力様式に合うように入力してから記憶することにより、登録された所持品用タグ２００別に所持者の所持品が連結される情報を設定する（Ｓ３１０）。
【０１３６】
ここで、使用者端末３００の所持品位置追跡用アプリ３０１で、所持品位置追跡端末１００の動作を制御して、登録された所持品用タグ２００別に所持者の所持品の連結される情報が設定されるように制御することができる。
【０１３７】
所持品位置追跡端末１００で、所持者の所持品に備えられた所持品用タグ２００の中で追跡要請された該当所持品用タグ２００を認識する（Ｓ３２０）。
【０１３８】
所持品用タグ２００で、該当タグを識別するのに用いられるタグ識別子情報を含むタグ別識別子信号を伝送する（Ｓ３３０）。
【０１３９】
所持品位置追跡端末１００は、設定されたモードがタグ案内モードと本体案内モードの中でどのモードであるかを確認し（Ｓ３４０）、設定されたモードがタグ案内モードの場合、制御部１５０を制御して、所持品用タグ２００からタグ別識別子信号が受信されれば、所持者の所持品に備えられた所持品用タグ２００の中で追跡要請された該当所持品用タグ２００のタグ別識別子信号が存在するかを確認する（Ｓ３５０）。
【０１４０】
所持品位置追跡端末１００の制御部１５０は、タグ案内モードの下で、所持者の所持品に備えられた所持品用タグ２００の中で追跡要請された該当所持品用タグ２００のタグ別識別子信号が存在すれば、その確認された該当所持品用タグ２００で位置案内を要請する信号として、その確認された該当所持品用タグ２００のタグ識別子情報を含むタグ出力信号を生成し、これを伝送する（Ｓ３６０）。
【０１４１】
追跡要請された該当所持品用タグ２００は、タグ出力信号の伝送を受け、その伝送されたタグ出力信号に含まれたタグ識別子情報と自分のタグ識別子情報が同一であれば、ブザーを介して出力音が送出されるように制御する（Ｓ３７０）。
【０１４２】
一方、所持品位置追跡端末１００は、設定されたモードがタグ案内モードと本体案内モードの中でどのモードであるかを確認する（Ｓ３４０）過程で、設定されたモードが本体案内モードの場合、制御部１５０を制御して、所持品用タグ２００からタグ別識別子信号が受信されれば、所持者の所持品に備えられた所持品用タグ２００の中で追跡要請された該当所持品用タグ２００のタグ別識別子信号が存在するかを確認する（Ｓ３８０）。
【０１４３】
所持品位置追跡端末１００の制御部１５０は、本体案内モードの下で、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する（Ｓ３９０）。
【０１４４】
ここで、所持品位置追跡端末１００の制御部１５０は、本体案内モードの下で、所持者の所持品に備えられた所持品用タグ２００の中で追跡要請された該当所持品用タグ２００のタグ別識別子信号が存在すれば、追跡要請された該当所持品用タグ２００を認知したという情報が出力されるように制御する（Ｓ３９０）過程は次のように詳細な段階に区分されて提供されることができる。
【０１４５】
まず、所持品位置追跡端末１００の制御部１５０は、本体案内モードの下で、所持品用タグ２００から送信されるタグ別識別子信号を受信すれば、その受信された該当タグ別識別子信号を参照して該当所持品用タグ２００を認知する（Ｓ３９１）。
【０１４６】
所持品位置追跡端末１００の制御部１５０は、本体案内モードの下で、受信されたタグ別識別子信号の信号強度を検出する（Ｓ３９２）。
【０１４７】
その後、所持品位置追跡端末１００の制御部１５０は、本体案内モードの下で、検出されたタグ別識別子信号の信号強度を既設定の受信信号強度別距離情報と比較して所持品位置追跡端末１００と追跡要請された所持品用タグ２００間の検出距離を認知する（Ｓ３９３）。
【０１４８】
その後、所持品位置追跡端末１００の制御部１５０は、本体案内モードの下で、その認知された検出距離が既指定の使用者指定認知距離情報内に相当するかを確認する（Ｓ３９４）。
【０１４９】
一方、所持品位置追跡端末１００の制御部１５０は、本体案内モードの下で、その認知された検出距離が既指定の使用者指定認知距離情報内に相当する場合、追跡要請された該当所持品用タグ２００を認知したという情報が出力されるように制御し（Ｓ３９５）、所持品位置追跡端末１００の制御部１５０は、本体案内モードの下で、その認知された検出距離が既指定の使用者指定認知距離情報内に相当しない場合、追跡要請された該当所持品用タグ２００を認知したという情報が出力されないように制御する（Ｓ３９６）。
【符号の説明】
【０１５０】
１００    位置追跡端末  
１０１    固定本体
１０２    拡張型移動体
１１０    情報入力部
１１１    タグ識別子選択ボタン
１１２    位置追跡要請ボタン
１１３    本体案内モード要請ボタン
１２０    情報出力部
１２１    液晶
１３０    情報記憶部
１４０    情報通信部
１５０    制御部
２００    所持品用タグ
３００    使用者端末
３０１    所持品位置追跡用アプリ
３１０    ディスプレイ部
４００    タグ所持品認知用案内画面
４１０    タグ識別子表示欄
４２０    所持品名表示欄
【図１】
2020061123.tif 000003
【図２】
2020061123.tif 000004
【図３】
2020061123.tif 000005
【図４】
2020061123.tif 000006
【図５】
2020061123.tif 000007
【図６】
2020061123.tif 000008
【図７】
2020061123.tif 000009
【図８】
2020061123.tif 000010
【図９】
2020061123.tif 000011
【図１０】
2020061123.tif 000012
【図１１】
2020061123.tif 000013
【図１２】
2020061123.tif 000014